(57)【要約】      （修正有）【課題】仮想のマルチメディア基礎のインターネットの世界と印刷の媒体により例示される現実の世界を橋渡しする装置を提供する。【解決手段】マルチメディアの情報の通信に関し、印刷された媒体５０に記述されるプロバイダの情報６００に対応するリンクの情報を包含する機械読取り可能のコード１０用のスキャナ１００、プロバイダの情報に対応するユーザ入力情報の獲得用のユーザのインターフェイス１２０、リンクの情報およびユーザの入力の情報の回路網を通しての送出用の通信のブリッジ、スキャナと交信状態にある受信装置１８０であってリンクの情報とユーザ入力の情報を受信することができ、回路網を通してスキャナと交信状態にあるポータルサーバ２００であってリンクの情報とユーザ入力の情報に対応するマルチメディア情報のシーケンスを選択することができるもの、を使用する。【選択図】図１
2007226778.tif 000002
【特許請求の範囲】
【請求項１】
プロバイダー情報を含んでいる印刷媒体から通知を開始することにより、回路網を経てマルチメディア情報を通信するシステムにおいて、
そのシステムが、
回路網と、
プロバイダー情報に対応するリンク情報を含むデータを印刷媒体から受信するためのスキャナーとを含んでおり、そのスキャナーが
メモリーと、
メモリーに記憶可能であるユーザー入力情報を受信するためのユーザーインターフェースと、
回路網に連絡している通信ブリッジと、
スキャナーに連絡しており、回路網を経てリンク情報及びユーザー入力情報を受信し、通信可能であり、かつマルチメディア情報シーケンスを受信し、プレー可能であるレシーバーと、
回路網を経て、スキャナー及びレシーバーに連絡しており、リンク情報及びユーザー入力情報を受信し、リンク情報及びユーザー入力情報に対応するマルチメディア情報シーケンスを選択して、そのマルチメディア情報シーケンスを回路網を経てレシーバーに送信可能である入り口サーバーとを含んでいる
ことを特徴とするシステム。
【請求項２】
データが機械読取り可能コードである請求項１に記載のシステム。
【請求項３】
機械読取り可能コードが、バーコード、インハンスドバーコード、ニューインハンスドコード、ダイナミックコード及び／又は高密度バーコードの中の選択されたコードである請求項２に記載のシステム。
【請求項４】
機械読取り可能コードが、更に刊行物情報を含む請求項２に記載のシステム。
【請求項５】
機械読取り可能コードが更に、個人機密情報を含む請求項２に記載のシステム。
【請求項６】
機械読取り可能コードが更に、プロバイダー機密情報を含む請求項２に記載のシステム。
【請求項７】
少なくとも１つの機械読取り可能コードが、コードファイルに記憶されている請求項２に記載のシステム。
【請求項８】
コードファイルがスキャナーメモリーに記憶されている請求項７に記載のシステム。
【請求項９】
リンク情報が、ユニバーサル・リソース・ロケータ、インターネットアドレス情報、商標情報、原産地、組織名、製品名、役務名、利益償還の情報、プロバイダー規定の情報、ユーザー個人プロフィールの情報、ユーザーの利権の情報、サーバーコマンドの情報、顧客の宅内機器選択の情報、機械読取り可能コードの形に印刷された英数字シーケンスの中の選択された情報である請求項１に記載のシステム。
【請求項１０】
英数字シーケンスが、プロバイダー情報のプロバイダーによって割当てられる請求項１０に記載のシステム。
【請求項１１】
プロバイダー情報が、英数字シーケンスから抽出され、そしてポータルサーバーにおいて回路網アドレスに変えられる請求項１０に記載のシステム。
【請求項１２】
プロバイダー情報が、英数字シーケンスから抽出され、システムが更に、英数字シーケンスを回路網アドレスに変えることができるリンクテーブルを含む請求項１０に記載のシステム。
【請求項１３】
英数字シーケンスが、ＵＰＣ及びＩＳＢＮナンバーの中の１つである請求項１０に記載のシステム。
【請求項１４】
更に複数のリンク情報を含む請求項１に記載のシステム。
【請求項１５】
スキャナーとレシーバーが、１つのユニットに結合されている請求項１に記載のシステム。
【請求項１６】
スキャナーが更に、ユーザーインターフェースを経てユーザーリクエストに応答してリンク情報及びユーザー入力情報を回路網に伝達可能である請求項１に記載のシステム。
【請求項１７】
通信ブリッジが、リンク情報及びユーザー入力情報をレシーバーに送信可能である請求項１に記載のシステム。
【請求項１８】
通信ブリッジが、リンク情報及びユーザー入力情報をポータルサーバーに送信可能である請求項１に記載のシステム。
【請求項１９】
スキャナーが、手持ち装置である請求項１に記載のシステム。
【請求項２０】
その手持ち装置が、ワイヤレスである請求項１９に記載のシステム。
【請求項２１】
ポータルサーバーが回路網を経て回路網ユーザーにアクセス可能である請求項１に記載のシステム。
【請求項２２】
ポータルサーバーが、もっぱら、情報プロバイダーによってアクセス可能である請求項１に記載のシステム。
【請求項２３】
ユーザー入力情報が、ユーザー個人プロフィール情報を含む請求項１に記載のシステム。
【請求項２４】
ユーザー入力情報が、ユーザーインタレスト情報を含む請求項１に記載のシステム。
【請求項２５】
スキャナーが、複数のデータを記憶可能である請求項１に記載のシステム。
【請求項２６】
ユーザー入力情報が、広告の機関、トランザクションの機関及びユーザー個人プロフィールの情報を含むグループから選択される請求項１に記載のシステム。
【請求項２７】
スキャナーが、リモートコントロール、マウス、携帯電話、パーソナルデジタルアシスタント、又はパーソナルコンピュータである請求項１に記載のシステム。
【請求項２８】
ユーザーインターフェースが、音声作動システム、キーパッド、又はキーボードである請求項１に記載のシステム。
【請求項２９】
通信ブリッジが、赤外線通信システム、モービルラジオ通信システム、又は１Ｐベースの通信システムである請求項１に記載のシステム。
【請求項３０】
回路網が、インターネット、イントラネット、あるいはエキストラネットである請求項１に記載のシステム。
【請求項３１】
スキャナーが、増大した現存の電子装置、テレビリモートコントロール、マウス、携帯電話、ＰＣカード装置、パルムトップ（ｐａｌｍｔｏｐ）、計算機、キーチェーン、ペン、身分証明書、スマートカード、手持ちＧＰＳ装置、デスクトップ又はラップトップコンピュータ、デジタル器具、又はマイクロプロセッサーベースの装置である請求項１に記載のシステム。
【請求項３２】
ポータルサーバーが更に、ユーザー情報に対応するリンク情報を追跡することができる追跡モジュールを含む請求項１に記載のシステム。
【請求項３３】
ポータブルサーバーが更に、情報プロバイダーに代金を請求する料金パーセンテージを追跡可能である追跡モジュールを含む請求項１に記載のシステム。
【請求項３４】
料金が、選択したマルチメディア情報シーケンス、特定の情報プロバイダーに対応するポータルサーバーによって受信したリンク情報の数及び周波数、選択したマルチメディア情報シーケンスが、トランザクションを発生するときは、トランザクション値の少なくとも１つに基づいている請求項３３に記載のシステム。
【請求項３５】
マルチメディア情報シーケンスが、宣伝又はトランザクション情報である請求項１に記載のシステム。
【請求項３６】
ユーザー入力情報が、更にユーザー個人プロフィール情報を含む請求項１に記載のシステム。
【請求項３７】
ポータルサーバーが更に、選択したマルチメディア情報シーケンス及びユーザー個人プロフィール情報に基づいて、情報プロバイダーに料金を請求する料金パーセンテージを追跡可能である請求項３６に記載のシステム。
【請求項３８】
ユーザー入力情報が、ユーザーインタレスト情報であり、そしてポータルサーバーが更に、ユーザー個人プロフィール情報のユーザー規定オークションの基準により、ユーザーインタレスト情報を情報プロバイダーにオークション可能である請求項３６に記載のシステム。
【請求項３９】
ユーザー個人プロフィール情報が、ポータルサーバーに記憶されている請求項３８に記載のシステム。
【請求項４０】
ユーザー入力情報が更に、ユーザーインタレスト情報の少なくとも１つを含む請求項１に記載のシステム。
【請求項４１】
ポータルサーバーが更に、選択したマルチメディア情報シーケンス及びユーザーインタレスト情報に基づき、情報プロバイダーに料金を請求する料金パーセンテージを追跡可能である請求項４０に記載のシステム。
【請求項４２】
スキャナー及び顧客の宅内機器が、１つの装置に一体化されている請求項１に記載のシステム。
【請求項４３】
カスタマー・プレミセス・イクイップメントが、テレビジョン、セット・トップ・ボックス（ｓｅｔ  ｔｏｐ  ｂｏｘ）、コンピュータ、携帯電話、リモートコントロール、パーソナルデジタルアシスタント、一体化したＰＣ−ＴＶ装置か、又はポケベルである請求項１に記載の装置。
【請求項４４】
マルチメディアシーケンス情報が、１又はそれ以上の文字、音声、又はビデオ情報である請求項１に記載のシステム。
【請求項４５】
更に通信ブリッジに連絡しているレシーバーを含む請求項１に記載のシステム。
【請求項４６】
機械読取り可能コードが、ダイナミックに変化する請求項１に記載のシステム。
【請求項４７】
更に、スキャナー、レシーバー又はポータルサーバーのいづれかに配置された追跡モジュールを含む請求項１に記載のシステム。
【請求項４８】
追跡モジュールが、リンク情報及びユーザー入力情報追跡を含む請求項４７に記載のシステム。
【請求項４９】
追跡モジュールが、ユーザー個人プロフィール情報により、システムのユーザー及びポータルサーバーのマネージャーに払い戻す料金パーセンテージ追跡を含む請求項４７に記載のシステム。
【請求項５０】
ポータルサーバーが更に、走査により発生するトランザクションに関係なく、マルチメディアシーケンス情報の継続時間及び頻度を制御するため、及び情報プロバイダーにマルチメディアシーケンス情報提供料金を請求するためのプロバイダーマネジメントモジュールを含む請求項１に記載のシステム。
【請求項５１】
スキャナーが、ユーザー入力情報で送信される走査関連情報を同期するためのクロックを保持している請求項１に記載のシステム。
【請求項５２】
スキャナー、レシーバー又はポータルサーバーのいづれかが、マルチメディアシーケンス情報を制御し、
レシーバーにおけるシーケンスの一部として表示されたマルチメディア情報の継続時間及び周波数を追跡し、その場合にそのシーケンスは部分的に回路網を経て情報プロバイダーによって提供される、
情報プロバイダーに、シーケンスの一部として提供されたマルチメディア情報を表示する料金を請求し、
レシーバー所有者に払い戻される料金パーセンテージを追跡することができるプロバイダー・マネージメント・モジュールを保持している請求項１に記載のシステム。
【請求項５３】
スキャナーの対話のボタンにより、いつでもユーザーによってマルチメディアシーケンス情報に選択的にアクセスするための相互作用特徴を更に含んでいる請求項１に記載のシステム。
【請求項５４】
その対話の技術特徴が、ユーザーと情報プロバイダーとの間のトランザクションを維持するため、情報プロバイダーによって提供されたシーケンスの一部としてアプリケーションをアクセスすることができる請求項５３に記載のシステム。
【請求項５５】
ポータルサーバーが、トランザクションを制御可能である請求項５４に記載のシステム。
【請求項５６】
ポータルサーバーが更に、ユーザーと情報プロバイダーとの間の多くのトランザクション及びユーザーと情報プロバイダーとの間の多くの相互作用を制御可能である請求項５５に記載のシステム。
【請求項５７】
ポータルサーバーが更に、情報プロバイダーに、制御したトランザクション数又は制御した相互作用数のいづれかを維持する料金を請求可能である請求項５６に記載のシステム。
【請求項５８】
管理のワークステーションが更に、スキャナーの所有者に払い戻される料金パーセンテージを追跡可能である請求項５７に記載のシステム。
【請求項５９】
トランザクションがカタログショッピング又は購入のいづれかである請求項５８に記載のシステム。
【請求項６０】
リンク情報が、回路網アドレス情報を含む請求項１に記載のシステム。
【請求項６１】
回路網アドレス情報が、実施可能なコードを含むファイルを示している請求項６０に記載のシステム。
【請求項６２】
任意の１又はそれ以上のスキャナー、レシーバー、又はポータルサーバーが、少なくとも１つのリンクテーブルを含んでいる請求項１に記載のシステム。
【請求項６３】
任意の１又はそれ以上のスキャナー、レシーバー、又はポータルサーバーが、追加の情報又は、ダウンロード実行可能のコード、及びシステムを使用している人の相互作用応答でコード１０を補足できるインテリジェンスを含む請求項１に記載のシステム。
【請求項６４】
追加の情報が、個人の識別情報、氏名、アドレス、クレジットカード情報及び関連情報を含む請求項６３に記載のシステム。
【請求項６５】
コードが、個人情報及びプロバイダーによって印刷された再注文情報を含むことが可能であり、それによって、再注文又は他のトランザクションが続けられる前に、個人情報が、ユーザー個人プロフィール情報に対し、有効化される請求項１に記載のシステム。
【請求項６６】
コードが、情報ページに結合可能な情報オンリータイプである請求項１に記載のシステム。
【請求項６７】
コードが、ユニバーサル製品コードである請求項６６に記載のシステム。
【請求項６８】
コードが、クッキー（ｃｏｏｋｉｅ）の情報、ユーザー入力情報からの個人の相互作用応答、個人の場所又は他の人口統計的な情報及びポータルサーバー・データーベース情報と組合わせた任意の走査情報に基づいて送信される請求項１に記載のシステム。
【請求項６９】
コードが再注文コードであり、それによって、製品の再注文が、コードを走査し、それを再注文コードとして認め、そして再注文のための料金パーセンテージが追跡モジュールによって維持されるように、ポータルサーバーを経てトランザクションを維持することによって、作動される請求項６８に記載のシステム。
【請求項７０】
その追跡が、トランザクションを始める人との料金分担を保持する請求項６９に記載のシステム。
【請求項７１】
コードタイプが、電話番号、ビジネスカード、サービス情報、利益償還の情報、リベート、クーポン、文献あるいは、個人又は情報プロバイダーのための一般的情報カテゴリーを含む請求項１に記載のシステム。
【請求項７２】
コードが、スキャナー、レシーバーのいずれかにアップロードされるかあるいは、ポータルサーバーが、一度又は交互に、局部的に又は回路網のどこからのクッキー及び機密情報と共に送られる請求項１に記載のシステム。
【請求項７３】
集められたコードの処理が、印刷媒体を読取り、走査するのと異なる時間に行うことができる請求項１に記載のシステム。
【請求項７４】
コードがＵＰＣコードであり、それによってユーザーが、いかなる追加のコードもなく、リンクテーブルを経てプロバイダーに向けられる請求項１に記載のシステム。
【請求項７５】
１又はそれ以上のスキャナー、レシーバー又はポータルサーバーが、相互作用のためのコードテンプレート、トランザクション情報、認可情報、発行者への参考、メディアオリジネータ、宣伝の配置、発行日、ディーラー、転売人又は卸売業者を保持している請求項１に記載のシステム。
【請求項７６】
１又はそれ以上のスキャナー、レシーバー又はポータルサーバーが、プロバイダー情報走査に使用されるコードタイプをベースにして走査情報を収集し、かつユーザー個人プロフィール情報、リンク情報及びユーザー入力情報に関する人口統計情報を収集する統計モジュールと協働する追跡モジュールを保持する請求項１に記載のシステム。
【請求項７７】
追跡モジュールが、印刷情報の内容に基づき相異なる情報プロバイダーによるコードの使用の追跡、再指向、及び標的設定することができる請求項７６に記載のシステム。
【請求項７８】
個人又はシステムが、走査事実を公表するように選択できる、それによって、競争者は、競争者の競合する製品又はユーザーインタレスト情報に基づくトランザクションについてのより以上の情報を、権利のプレイのためその個人に提供できる請求項７７に記載のシステム。
【請求項７９】
有形のフォーマットをもつコードを有する物理的に公表された製品に対応する少なくとも１つのデジタル著作権データーベースに連絡しており、それにより、走査が、ポータルサーバーを経て著作権データーベースに公表した製品をコピーしたい人に向けられ、そしてポータルサーバーが、コピーに基づく料金を追跡し、そして話題的に関係する公表製品を示唆できる請求項１に記載のシステム。
【請求項８０】
ポータルサーバーが、コード処理のための回路網に接続したゼログラフィ装置をモニターし、そしてそれが、著作権のある資料データベースへのアクセスを作動する請求項７９に記載のシステム。
【請求項８１】
そのコードが、識別、分配、及び物理的に公表された製品についての料金に関する情報を伝えることができるインテリジェントの水位標（ｉｎｔｅｌｌｉｇｅｎｔ  ｗａｔｅｒｍａｒｋ）である請求項８０に記載のシステム。
【請求項８２】
任意の１つ以上のスキャナー、レシーバー、ポータルサーバー又はプロバイダーが、情報プロバイダー又は印刷媒体の所有および発行者により走査した印刷媒体の刻印を追跡し、かつユーザー個人プロフィール情報により人口統計的な情報を収集可能にする請求項１に記載のシステム。
【請求項８３】
追跡特徴が、特殊刊行物、プロバイダー又は特殊形式の刊行物から生ずるｅ−コマーストランザクションのパーセンテージを追跡する請求項８２に記載のシステム。
【請求項８４】
追跡特徴が、印刷物の数に基づく印刷媒体の発行人に払い戻す料金のパーセンテージを追跡する請求項１に記載のシステム。
【請求項８５】
レシーバーが、顧客の宅内機器、コンピュータ、シンプルバッファー又は直接リンク、テレビジョン、セット・トップ・ボックス、ＰＣ−ＴＶ装置、ＶＣＲ、ＤＶＤプレーヤー、器具又は任意の他の電子装置である請求項１に記載のシステム。
【請求項８６】
ポータルサーバーが、コード処理を行う１又は多数の場所を含む請求項１に記載のシステム。
【請求項８７】
ポータルサーバーが、セントラルマネージメント、割当及びコード、コードタイプとプロバイダー情報の制御を可能にする請求項１に記載のシステム。
【請求項８８】
ポータルサーバーが、ポータルサーバーの広告主、印刷媒体所有者及び情報プロバイダーに、印刷及び電子トランザクションのためのリンクの単一共通データベースを所有可能にする請求項１に記載のシステム。
【請求項８９】
ポータルサーバーが、ポータルサーバーを経て回路網上に生ずる宣伝又はトランザクションに基づく追跡料金請求のための料金追跡モジュールを保持している請求項１に記載のシステム。
【請求項９０】
料金追跡モジュールが、走査から生ずるｅ−コマーストランザクションに関する料金を追跡する請求項７２に記載のシステム。
【請求項９１】
ポータルサーバーが、ユーザー個人プロフィール情報に基づいて、プロバイダーから発生するが、走査に関係なく生ずる宣伝及びトランザクションを追跡し維持するためのプロバイダー・マネージメント・モジュール及び統計モジュールを維持する請求項１に記載のシステム。
【請求項９２】
広告主が、ユーザー個人プロフィール情報又は一般的ポータル構成によって、ポータルサーバーユーザーにプロバイダー情報を送ることができる請求項９１に記載のシステム。
【請求項９３】
プロバイダーマネージメントモジュールが、プロバイダー印刷情報の有効性に関して情報プロバイダーにフィードバックを提供可能であり、そしてフレキシブル実時間チューニングを考慮に入れている請求項９２に記載のシステム。
【請求項９４】
ポータルサーバーが、ユーザー個人プロフィール情報マネージメント機能を提供し、かつユーザー個人プロフィール及びユーザーインタレスト情報に基づくオークション指向の情報を公表するためインディグラフィックス（ｉｎｄｉｇｒａｐｈｉｃｓ）モジュールを維持している請求項１に記載のシステム。
【請求項９５】
インディグラフィックスのモジュールが、ユーザー利権の情報により利権を走査又は、表現する入札のユーザーに対応するユーザー個人プロフィール情報を収集する追跡モジュールと協働し、それによって追跡モジュールが、発行したオークションの情報により入札ユーザーにより提出された入札を追跡し、そしてオークション情報の発行人及び入札を印刷し、発行し又は作成した媒体発行人に払い戻す料金のパーセンテージを追跡する請求項９４に記載のシステム。
【請求項９６】
ポータルサーバーが、情報プロバイダーを電子的にセットし、そしてコードを維持可能にするコード・マネージメント・モジュールと、対応するリンク情報とを維持する請求項１に記載のシステム。
【請求項９７】
コード・マネージメント・モジュールが、媒体プロバイダーによりそれら自身のコードを作り出し、印刷可能にし、かつポータルサーバによりコード情報を分配可能である請求項９６に記載のシステム。
【請求項９８】
１つ又はそれ以上のスキャナー、レシーバ及びポータルサーバーが、ポータルにおけるリンク又はリンクテーブルを動的に変化し、かつコードの新バージョン又は新セットのテンプレート又は新リンクのダウンロードを行う能力を維持している請求項１に記載のシステム。
【請求項９９】
機械読取り可能コードが、ユニバーサル製品コードか又はＩＳＢＮコードである請求項１に記載のシステム。
【請求項１００】
ポータルサーバーが、任意の１又はそれ以上の製造者名、卸売業者名又は製品名を含むリンク情報に基づき、かつプロバイダーにアクセス可能であるプロバイダー優先リンクに基づき、マルチメディアシーケンス情報を選択可能である請求項９９に記載のシステム。
【請求項１０１】
通信が印刷媒体を経て作動する、スキャナー、ポータルサーバー、及びカスタマー・プレミセス・イクイップメントを接続している回路網を経てマルチメディア情報を通信する方法を通信する方法において、
スキャナーを用いて、印刷媒体からのプロバイダー情報に対応するリンク情報を含む機械読取り可能コードを走査するステップと；
メモリー内に機械読取り可能コードを記憶するステップと；
メモリー内の機械読取り可能コードからリンク情報を抽出するステップと；
メモリー内のプロバイダー情報に対応するユーザー入力情報を得て、記憶するステップと；
リンク情報及びユーザー入力情報を、回路網を経てポータルサーバーに送信するステップと；
ポータルサーバーで、リンク情報及びユーザー入力情報を受信するステップと；
リンク情報及びユーザー入力情報に対応するマルチメディア情報シーケンスを選択するステップと；
マルチメディア情報シーケンスを回路網を経てレシーバーに送信するステップと；
レシーバーでマルチメディア情報シーケンスを受信し、記憶するステップと；
レシーバーを経てマルチメディア情報シーケンスをプレーするステップと；
を含むことを特徴とする方法。
【請求項１０２】
ステップｅ）が、ユーザーインターフェースを経てユーザーリクエストにより行われる請求項１０１に記載の方法。
【請求項１０３】
通信が、印刷媒体を経て作動される、回路網を経てマルチメディア情報を通信するシステムにおいて、そのシステムが印刷媒体上に描かれたプロバイダー情報に対応するリンク情報を含む機械読取り可能コードのためのスキャナーを含んでおり、そのスキャナーが回路網に維持されていて、そのスキャナーが、
メモリーと；
メモリー内に記憶可能であり、かつプロバイダー情報に対応しているユーザー入力情報を得るためのユーザーインターフェースと；
回路網を経てリンク情報及びユーザー入力情報を送信するための通信ブリッジと；
回路を経てスキャナーに連絡しており、かつリンク情報及びユーザー入力情報を受信し、リンク情報に対応するマルチメディア情報シーケンスを選択し、そして回路網を経てマルチメディア情報を送信できるポータルサーバーと；
ポータルサーバーに連絡しており、かつマルチメディア情報シーケンスを受信し、そしてマルチメディア情報シーケンスをプレーできる顧客の宅内機器と
を含むことを特徴とするシステム。
【請求項１０４】
通信が印刷媒体を経て作動される、回路網を経てマルチメディア情報を通信するシステムにおいて、
回路網に接続可能であり、かつ印刷媒体に描かれたプロバイダー情報に対応するリンク情報を含む機械読取り可能コードのためのスキャナー及び記憶装置を含むユーザー装置と；
記憶装置に記憶可能であり、かつプロバイダー情報に対応するユーザー入力情報を得るためのユーザーインターフェースと；
回路網を経てリンク情報及びユーザー入力情報を送信するための通信ブリッジと；
マルチメディア情報シーケンスを受信し、そしてマルチメディア情報シーケンスをプレーするための表示装置と；
回路網を経てユーザー装置に連絡しており、かつ、リンク情報及びユーザー入力情報を受信し、リンク情報及びユーザー入力情報に対応するマルチメディア情報シーケンスを選択し、そして回路網を経てマルチメディア情報シーケンスを送信可能であるポータルサーバーと
を含むことを特徴とするシステム。
【請求項１０５】
通信が実体的媒体を経て作動される、回路網を経てマルチメディア情報を通信するシステムにおいて、システムが、
回路網に接続可能なユーザー装置を含み、そのユーザー装置が、
印刷媒体上に描かれたプロバイダー情報に対応するリンク情報を含む機械読取り可能コードのためのトランスジューサー及び記憶装置と、
記憶装置内に記憶可能であり、かつプロバイダー情報に対応するユーザー入力情報を得るためのユーザーインターフェースと；
回路網を経てリンク情報及びユーザー入力情報を送信するための通信ブリッジと；
マルチメディア情報シーケンスを受信し、そしてマルチメディア情報シーケンスをプレーするための表示装置と；
回路網を経てユーザー装置に連絡しており、かつリンク情報及びユーザー入力情報を受信し、リンク情報及びユーザー入力情報に対応するマルチメディア情報シーケンスを選択し、そして回路網を経てマルチメディア情報シーケンスを送信可能であるポータルサーバーと
を含むことを特徴とするシステム。
【請求項１０６】
ユーザーがスマートボタンを作動可能な近接ベースの装置であるか又は、接触ベースの装置である請求項６６に記載のシステム。
【発明の詳細な説明】
【技術分野】
【０００１】
発明の分野
本発明は、バーチャルマルチメディアを基本としたインターネットの世界と印刷メデイアの物理的世界とのギャップにブリッジをかける画期的な新装置に関する。特に、本発明は印刷メディアから得られる機械読み取り可能なコードのようなプロバイダ情報に対応したリンク情報を包含するデータを受け取ることのできるスキャナーを用いるネットワークを通してのマルチメディア情報の通信に関し、このスキャナーに接続されてリンク情報とユーザー入力情報を受け取ることができネットワークからマルチメディア情報配列を受けてプレーすることが可能な受信装置、およびこのスキャナーおよびこの受信装置に接続されてリンク情報とユーザー入力情報に対応したマルチメディア情報を選択することができる入り口サーバー（ｐｏｒｔａｌ  ｓｅｒｖｅｒ）が設けられる。
【背景技術】
【０００２】
発明の背景
スキャナー技術は長年にわたっていろいろな背景で利用されてきた。例えば、スキャナーはスーパーマーケットでパーソナルコンピュータと共に、そして棚卸し、製造、資材調整システムにおいて使用される。しかしながら、以前はスキャナー技術を印刷メディアと、インターネットや宣伝広告、エンターテインメント、電子商取り引きを含めた“バーチャルワールド”とのギャップにブリッジをかける手段としては考えてこなかった。
【０００３】
印刷メディアはニュースおよび広告情報を含めて何世紀にもわたって一次的な通信情報であった。過去数十年にわたるインターネットの出現は、印刷メディアを電子的に読み込むことやサーチすることが可能な形にし、伝統的な印刷メディアとは比較にならない双方向的な（対話形）マルチメディアの可能性を導入して印刷メディアのコンセプトを拡大した。残念なことに、印刷メディアの多くのユーザーはインターネットを効率的な情報源として活用するのに必要不可欠な専門的技術知識を持っていない。このように、世界中の殆どの人々が毎日のレベルで印刷メディアに対するアクセスができるにもかかわらず、彼らのうちほんのわずかのパーセンテージしかインターネットを活用するのに必要不可欠な専門的技術知識を持っていない。
【０００４】
印刷メディアの全てのユーザーが“バーチャルワールド”にリンクし、ユーザーの望み通りの情報をユーザーの専門的技術知識に関係無く提供できるようなシステムの存在が望まれる。本発明は、印刷メディアと、双方向的バーチャルワールドおよびインターネットとの間にブリッジをかけるスキャナー技術を使用してこのようなシステムを提供する。さらに、このようなシステムは、伝統的な印刷メディアでは使用されなかったマルチメディアの経験を供給することにより、印刷メディアが彼らの顧客に情報のプレゼンテーションをすることを促進可能とする。
【発明の開示】
【課題を解決するための手段】
【０００５】
発明の概要
本発明は、インターネットあるいはエクストラネットのようなネットワークを通してマルチメディア情報に通信するシステムを有し、この通信は印刷メディアから開始されるものである。このシステムはスキャナー、受信装置、ポータルサーバーを有し、すべてがネットワークを介して結ばれている。ある実施態様では、このスキャナーおよび受信装置は単一の装置であり、また別の実施態様では、このスキャナーは直接的にポータルサーバーおよび顧客の宅内機器（“CPE”）に接続され、ポータルサーバーから受けるマルチメディア情報配列を受信してプレーするものとなる。さらに別の実施態様では、ＣＰＥがスキャナーと受信装置の両方として機能する。このマルチメディア情報配列は宣伝広告情報や取り引き情報でも可能であり、また一つないし複数の文章、音声あるいはビデオ情報でも可能である。
【０００６】
好ましい実施態様では、このスキャナーにはメモリー、ユーザーのインターフェースおよび通信用ブリッジが含まれる。例えば、スキャナーはリモコン装置、マウス、携帯電話、パーソナルユースのデジタル補助装置、パーソナルコンピュータ、ページャーあるいは双方向ページャーでも可能である。スキャナーは、印刷メディアからのプロバイダ情報に対応するリンク情報を含んだ機械読み取り可能なコードのようなデータを検出して読み込む。スキャナー、受信装置およびポータルサーバー内部には複数のコードを貯蔵することが可能である。プロバイダ情報に対応したリンク情報は、例えば、ユニバーサルリソースロケーター（ＵＲＬ）、インターネットアドレス情報、商標情報、オリジナル情報源、組織名、製品名、サービスの名称、利益償還情報、プロバイダの規定情報、ユーザーの個人的プロフィール情報、サーバーコマンド情報およびＣＰＥ優先情報などである。
【０００７】
ユーザーインターフェースは、宣伝広告の認定や取り引きの認定、ユーザー個人プロフィール情報およびユーザーの好みの情報のようなユーザー入力情報をプロバイダ情報に対応して取り込む。ユーザー入力情報はスキャナー、受信装置あるいはポータルサーバーにより受けられて貯蔵される。スキャナーはユーザーインターフェースを経由してユーザーの意思に基づいたリンク情報およびユーザー入力情報をたどっていく。例えば、ユーザーインターフェースは音声反応型システム、キーパッドまたはキーボードである。ある実施態様では、ユーザーインターフェースはスキャナー、受信装置、マルチメディア情報配列を表示するためのＣＰＥのようなもの、あるいはポータルサーバーのいずれか一つないし複数のものに設置される。
【０００８】
この通信用ブリッジはリンク情報とユーザー入力情報を受信装置に送り、そしてネットワークを通してポータルサーバーに送る。赤外線通信システム、移動無線通信システムまたはＩＰを基本とした通信システムがこの通信用ブリッジの実施例である。
【０００９】
ポータルサーバーはネットワークを通してスキャナーまたは受信装置に接続されている。ある実施態様では、このポータルサーバーはインターネットを介してあらゆるインターネットユーザーにアクセス可能である。また別の実施態様では、このポータルサーバーは情報のプロバイダによってのみアクセス可能となる。このポータルサーバーはリンク情報およびユーザー入力情報を受けることやリンク情報とユーザー入力情報に対応するマルチメディア情報配列を選択することが可能であり、ネットワークを介してマルチメディア情報配列を受信装置に送ることが可能である。このポータルサーバーは、さらに、ユニバーサルリソースロケーターやインターネットアドレス情報、商標情報、オリジナル情報源、組織名、製品名、サービスの名称、利益償還情報（ｂｅｎｅｆｉｔ  ｒｅｄｅｍｐｔｉｏｎ  ｉｎｆｏｒｍａｔｉｏｎ）、プロバイダの規定の情報、ユーザーの個人的プロフィール情報、ユーザーの好みの情報、サーバーコマンド情報、およびＣＰＥ優先情報を含めてユーザーに対応したリンク情報を追跡することができる。
【００１０】
好ましい実施態様では、このポータルサーバーはさらに、例えば、選択されたマルチメディア情報配列、特定の情報プロバイダに対応してポータルサーバーにより受信されるリンク情報の数と頻度、あるいは選択したマルチメディア情報配列が生み出す取り引きのイベントにおいて生じる取り引き価値に基づいて情報プロバイダに課料される料金のパーセンテージを監視追跡することも可能である。また別の実施態様では、例えば、このポータルサーバーは選択されたマルチメディア情報配列およびユーザーの個人的プロフィール情報またはユーザーの関心のある情報に基づいて情報プロバイダに課料される料金のパーセンテージを監視追跡することも可能である。さらにこのポータルサーバーは、情報プロバイダへのユーザーの個人的プロフィール情報の中で、ユーザーの設定した競売基準にしたがってユーザーが関心をもつ情報の競売を行なうことも可能である。このユーザーの個人的プロフィール情報はポータルサーバーに保存されている。
【００１１】
受信装置はスキャナーおよびポータルサーバーに接続されており、このリンクおよびユーザー入力情報を受信し、マルチメディア情報配列を受信し、マルチメディア情報配列をプレーすることが可能である。この受信装置は、テレビ、セットトップボックス、コンピュータ、携帯電話、リモコン装置、パーソナルユースのデジタル補助装置、ＰＣ−ＴＶ一体型装置（例えば、ウェブＴＶ）あるいはページャーである。
【発明を実施するための最良の形態】
【００１２】
詳細な説明
図１は本発明の実施態様を描いた図であって、三つの構成要素、スキャナー１００、受信装置１８０、およびポータルサーバー２００を有している。ある実施態様では、スキャナー１００および受信装置１８０は一つの装置となって構成されている。また別の実施態様では、スキャナー１００は直接的にポータルサーバー２００に接続されており、顧客宅の装置（“ＣＰＥ”）３００が受信装置１８０として機能し、ポータルサーバー２００から受けるマルチメディア情報配列をプレーする。
【００１３】
スキャナー１００はハンドヘルド型の装置であってもよいし、好ましくはワイアレスであるがこれが必要条件であることはない。例えば、スキャナー１００はすでにある高機能電子機器で、ＴＶのリモコン装置、マウス、携帯電話、ＰＣカード装置、パームトップ装置、電子計算器、キーチェーン、ペン、ＩＤカード、スマートカード、ハンドヘルドＧＰＳ装置、デスクトップまたはラップトップコンピュータ、デジタル機器、マイクロプロセッサを基本とした装置、パーソナルユースのデジタル補助装置、ページャーあるいは双方向型ページャーでもよい。
【００１４】
スキャナー１００はコード化されていないデータおよび印刷メディア５０から得られる機械読み取り可能なコード１０のようなデータを読み取ることができる。機械で読み取ることのできるコード１０はバーコード、新型高機能コード、あるいはダイナミックコードおよび高密度バーコードを含むあらゆるタイプのコードである。
【００１５】
このコード１０は印刷メディア由来のプロバイダ情報に対応するリンク情報を含んでいる。このリンク情報はユニバーサルリソースロケーター（“ＵＲＬ”）、インターネットアドレス情報、ネットワークアドレス情報、商標情報、オリジナル情報源、組織名、製品名、サービスの名称、利益償還情報、プロバイダ規定情報、ユーザーの個人的プロフィール情報（すなわち“ｃｏｏｋｉｅ”）、ユーザーの関心のある情報、サーバーコマンド情報、およびＣＰＥ優先情報に対応できるものである。
【００１６】
リンク情報は、機械で読み取ることが可能なコード１０の形式で印刷されたアルファベットと数値の配列でもよい。このアルファベットと数値の配列はプロバイダ６００によって印刷メディア５０に割り当てられてもよいし、プロバイダ６００によってコード化されてもよい。このアルファベットと数値の配列が機能し、その結果、マルチメディア情報配列５００がプレーされる。例えば、印刷した自動車広告の機械読み取り可能なコードがアルファベットと数値の配列“Ａ００１Ｂ０９９０７９９Ａ５５５７ＺＱＺ６８９８”と翻訳されることもある。“Ａ００１”の意味するところがスキャナー１００にあるテンプレートに対応してＦｏｒｄとなって個人を表わし、この人物が宣伝広告や取り引き、あるいはその両方に関心をもっているかどうかを訊ねるユーザー入力情報によるものであってもよい。“Ｂ０９９”の示す意味がこの宣伝広告を掲載しているマガジンのタイプや名称に関するものであってもよい。“０７９９”の示す意味が地域の自動車ディーラーのような広告主Ａ５５５７から１９９９年７月に発信されたことであってもよい。“ＺＱＺ６８９８”の示す意味がネットワークコードであって、ポータルサーバー２００またはリンクテーブルのネットワークアドレスに関するものであってもよい。既存のＵＰＣまたはＩＳＢＮ番号をアルファベットと数値の配列としてもよい。少なくともスキャナー１００、受信装置１８０またはポータルサーバー２００のうちのいずれかはこのようなアルファベットと数値の配列からプロバイダ情報を抽出し、ポータルサーバー２００またはリンクテーブルにおけるネットワークアドレスに翻訳することができる。
【００１７】
コード１０は、少なくともリンク情報および出版物情報（すなわち情報がどの出版物に掲載されているか、または存在する場所）の一つを有しており、プロバイダ６００により提供された人口統計的情報および他の広告またはメッセージ特有情報に沿ったものである。また、コード１０は個人およびプロバイダのセキュリティー情報をも含んでいる。
【００１８】
本発明のシステムはリンク情報の欠落したコード１０を収集することおよび管理することも可能である。このリンクの欠落したコード情報は何らかの付加的なユーザー入力情報とともにｃｏｏｋｉｅに加えられる。このコード１０は、スキャナー１００または何らかの刺激によりリンク情報を発生して送信するトランスデューサにより読み取ることが可能である。スキャナー１００またはトランスデューサはコード１０の中に含まれる情報およびデータを差別化することができる。あるタイプのコード１０は情報ページにリンクする情報だけのタイプということもあり得る。単純な例は、食品のカンに印刷されてスキャンされるユニバーサルプロダクトコード（“ＵＰＣ”）であり、このシステムを使用して栄養、調理法あるいは取り引きについての製造者の情報にリンクすることができる。このシステムはＵＰＣコードをリンクテーブルと対比させて何らの付加コードを必要とせずにリンクを決定するといったＵＰＣコードの処理をすることもできる。このシステムはＩＳＢＮ番号コード、ＵＰＣコード、および現在使用されているあらゆるコードを処理することが可能である。
【００１９】
より複雑な対話型コードは、ユーザーの個人的プロフィール情報（ｃｏｏｋｉｅ）、ユーザー入力情報からの対話応答、個人のロケーションまたは他の人口統計的情報、およびポータルサーバーデータベース２１０の情報との組み合わせによってスキャンされた情報に基づいてルート化される。ｃｏｏｋｉｅは名前や住所、クレジットカード情報のような個人の識別情報、およびその他の関連情報をも含んでいる。ｃｏｏｋｉｅはスキャナー１００、受信装置１８０、またはポータルサーバー２００に保存することが可能である。コード１０に組み込まれるその他の情報には、ポータルサーバー２００またはプロバイダ６００からダウンロードされる実行コード、およびシステムを使用している個人から対話応答を引き出すことによりコード１０からのスキャン情報を追加することのできるユーザー入力情報が含まれる。
【００２０】
ある実施例のコードは情報を再整理することに対応しており、それによって製品の再整理がコード１０をスキャンすることで可能となり、それを再整理したものとして識別することができ、ポータルサーバー２００経由で取り引きを維持し、再整理のための費用パーセンテージを費用監視追跡装置２２０により常時得ることが可能となる。ある実施態様では、費用を取り引きをする個人が分け合うこともある。また別の実施例ではＨＭＯ薬局が患者の情報、治療情報、再処方情報を調剤のおりにコード化して薬剤に印刷ラベルとして貼っておくこともできる。この情報はコード１０で表わされ、スキャナー１００がコード１０を読み取り、コード１０に含まれている個人情報をスキャナー１００、受信装置１８０、ポータルサーバー２００、またはプロバイダ６００に蓄えられたユーザーの個人的プロフィール情報に対してこの情報を有効化する。一度有効化が完了すると、システムは確実な再処方、処置の記録、および監視装置２２０を使用した再処方の費用のパーセンテージ計算の維持を含む確実な処理を進めることが可能となる。
【００２１】
本発明のシステムは、電話番号、ビジネスカード、サービス情報、利益償還情報、リベート、クーポン、印刷物、または個人や情報プロバイダ６００にとって関心のあるあらゆる一般的情報カテゴリーといった付加的なコードタイプを使用することを意図している。この付加的なコードタイプに含まれる情報はスキャナー１００、受信装置１８０、またはポータルサーバー２００にいったんアップロードされるか、またはネットワークのどこかから得たセキュリティー情報およびｃｏｏｋｉｅと共に送られる。付加的なコードタイプも含めたコード１０の処理は、必要条件ではないがオプションとして、印刷メディア５０の読み取りスキャンの時とは異なる時に為される。好ましい実施態様では、スキャナー１００は使用者がスキャンして得られたコードコレクションを逐次コードファイルに作成してメモリー１１０に保管する。スキャナー１００はユーザーがアクセスするのにしたがってメモリー１１０にあるコードファイルを受信装置１８０にアップロードする。例えば、ユーザーがマガジンのような印刷メディア５０の中で関心のある宣伝広告を四つ発見したとき、スキャナー１００はこれら四つのコード１０をマガジンの宣伝広告から読み取ることが可能であり、これらをメモリー１１０に保管することができる。それに引き続いて、ユーザーの都合のよい時に、ユーザーはこの情報を受信装置１８０にアップロードして処理することが可能となる。
【００２２】
コード１０による情報はコード化され、印刷されたマルチメディア情報のように簡単なデータまたは複雑なデータタイプを加えたデータである。ＵＰＣコードは簡単なデータの例である。また、コード化されていないかまたは生の情報もこのシステムに使用することができる。例えば、ユニバーサルリソースロケーター（“ＵＲＬ”）はコード化されていないデータであるが、ＵＲＬタイプのコード１０にコード化すると情報を処理することが可能となる。
【００２３】
このシステムは対話のための独特のコードテンプレートを使用し、これは取り引き情報、認定情報、出版業者への参考資料、メディア発信元、広告設定、出版日、ディーラー、転売業者または配給業者の情報を有している。このシステムは、これらの広告をスキャンしてそのコードタイプにしたがってスキャン結果を追跡することおよび人口統計結果を収集することが可能である。また、このシステムは異なる情報プロバイダ６００により、印刷情報の内容に基づいてコード１０の利用法を追跡して再調整することも可能である。例えば、ある個人があるコンピュータのブランドに関する識別コード１０をスキャンする。そのコンピュータ製造業者はその人を自分の情報サイトに入れたいと考える。しかしながら、スキャンをした個人またはスキャンを処理したポータルサーバー２００がオークションをオフにして競合業者をスキャンすることを選択すると、競合業者が入札の権利を獲得してこの個人に同等製品あるいは取り引きに関するより多くの情報を発信できる。
【００２４】
本発明のシステムは明確なフォーマットのコードによるデジタル著作権データベースと通信可能である。例えば、コード１０を有する情報商品は、これを著作権データベースにアクセスしてコピーする意図を持った個人に配信される。このシステムはさらに、この個人に課料することも、このコードの情報に基づいて関連する情報商品を示唆することも可能である。このシステムはこのコードを処理するネットワークに接続された商業装置、オフィス装置、およびコピー装置をモニターし、著作権化されたもののデータベースへのアクセスを有効化することができる。このような背景から、このコードは情報を識別する商品、情報配信、および情報に関する料金を包含することが可能な知的なウォーターマークとして提供される。
【００２５】
好ましくは、コード１０は小さなフットプリントで、魅力のある出現が可能で、高密度の情報を有し、そしてスキャンが容易であることを特徴とする。例えば、このフットプリントはロゴを有する三角形のコードで、それがどのタイプのコード（情報、電子商取り引き、またはその両方）であるかの表示であってもよい。コード１０の表わす特徴を識別することは、そのコードが通常の宣伝広告ではなく、マルチメディア情報配列５００の多次元方向へ導く高機能な情報メディアの一部であることを表わしている。
【００２６】
スキャナー１００はコード１０を、テレビジョン、セットトップボックス、コンピュータ、携帯電話、リモコン装置、パーソナルユースのデジタル補助装置、ＰＣ−ＴＶ一体型装置（例えば、ウェブＴＶ）、ページャーまたは双方向ページャーのような受信装置１８０に送信するか、または直接的にポータルサーバー２００に送信することが可能である。受信装置１８０は、インターネットまたはその他のネットワークのようなネットワークに接続されており、印刷メディアからスキャンした情報に含まれる機械で読み取ることが可能なコード１０に基づいて個人を独自のネットワークアドレスまたはサイトに導くことおよびリンクさせることが可能である。
【００２７】
例えば、印刷メディア５０に記載されたプロバイダ情報は自動車の宣伝広告情報ということもある。自動車の製造業者はプロバイダ６００である。印刷広告から得られるコード１０によるリンク情報は、例えば、製造業者のウェブサイトのようなネットワークアドレス情報を有することも可能である。このリンク情報を処理することは、結果として、プロバイダ６００によって受信装置１８０に提供されたマルチメディア情報配列５００をプレーすることとなる。付け加えるか、または言い換えると、このネットワークアドレス情報は遠隔操作でダウンロードまたは実行可能で、それから受信装置１８０またはスキャナー１００に表示され得る実行可能なコンピュータコードを有するファイルに指示を出すことが可能である。一つまたは複数のリンクテーブル（図示せず）はプロバイダ６００と受信装置１８０との双方向通信を容易にするためにも使用できる。例えば、ネットワークコードを有し、ネットワークアドレスと結合したリンクテーブルをアクセスすることにより、そのネットワークコードだけを有するリンク情報を処理することができる。このリンクテーブルはネットワークアドレス情報へのネットワークコードを得てプロバイダ６００と受信装置１８０との連絡を容易にする。リンク情報はまた、リンクテーブルを介してカスケード接続されることも可能である。リンクテーブルは受信装置１８０、ポータルサーバー２００またはプロバイダ６００に存在するか、またはアクセスすることが可能である。機械で読み取ることが可能なコード１０は、リンクテーブルにアクセスすることなしに直接的に個人を特定のインターネットアドレスにリンクさせることも可能である。
【００２８】
好ましい実施態様では、スキャナー１００はメモリー１１０、ユーザーインターフェース１２０、および通信ブリッジ１３０を有している。
ユーザーインターフェース１２０は、プロバイダ情報に対応して宣伝広告の認定、取り引きの認定、ユーザーの個人的プロフィール情報、およびユーザーの関心のある情報を取得する。ユーザー入力情報はスキャナーメモリー１１０、受信装置１８０、またはポータルサーバー２００により受信されて保存され得る。スキャナー１００はユーザーインターフェース１２０を介して、ユーザーのリクエストに基づいてリンク情報およびユーザー入力情報をたどっていく。例えば、ユーザーインターフェース１２０は音声により起動するシステム、キーパッド、またはキーボードでもよい。ある実施態様では、このユーザーインターフェース１２０はスキャナー１００、受信装置１８０、顧客宅の装置（“ＣＰＥ”）３００のようなマルチメディア情報配列を表示する装置、またはポータルサーバー２００のいずれか一つまたは複数の中に設置されている。
【００２９】
通信ブリッジ１３０はリンク情報およびユーザー入力情報を受信装置１８０に送信し、そしてネットワークを経由してポータルサーバーに送信する。赤外線通信システム、移動無線通信システム、またはＩＰを基本とする通信システムはこの通信ブリッジの実施例である。
【００３０】
スキャナー１００は、好ましい実施態様においては、ハンドヘルド型の構成要素である。ハンドヘルド型構成要素は既存の高機能装置で、ＴＶのリモコン装置、マウス、携帯電話、ＲＥＸ装置、パームトップ装置、計算機、キーチェーン、ペン、ＩＤカード、スマートカード、ハンドヘルドＧＰＳ装置、デスクトップまたはラップトップ型コンピュータまたはデジタル機器やマイクロプロセッサを基本とした装置である。スキャナー１００はスマートボタンを機能させる近接させて使用することを基本とする装置で、メモリー、およびメモリーの中の情報をネットワークまたは接触をもつ装置にアップロードするコミュニケータを有する。
【００３１】
例えば、スキャナー１００は光学的スキャナーでも、またトランスデューサでもあり得る。好ましい実施態様では、スキャナー１００はスキャンと処理、スキャンとホールド、スキャンと表示といったいくつかのモードを有している。また、スキャナー１００はバックアップまたはレビュー、および編集のためにコード１０をコピーできるモードを有している。また別の実施態様では、スキャナー１００はスキャンが有効であったことを確認するための光および／または音によるインジケータを有している。ある実施態様もまた、スキャンが有効であったことを確認するための送信および受信インジケータを有している。オプションとして、スキャナー１００は別のスキャナー１００と通信可能で、リンク、コード、またはｃｏｏｋｉｅ情報の交換を行なうことができる。
【００３２】
図３はスキャナー１００が特別用途向けに一体化したユニット４００の一部分となっている実施態様を描いたものであって、メモリー４２０、マイクロプロセッサ（図示せず）、リンクおよびｃｏｏｋｉｅ情報を含んだ保存テンプレート（図示せず）、ディスプレー４３０、ケーブル（図示せず）、および赤外線や可視または無線周波数のワイアレス送信装置４４０を有している。この特別用途向けのユニット４００はこれらの構成要素の何らかのサブセット、または図２および図４に示したような他の構成要素を含むこともあり得る。
【００３３】
本発明のシステムは、書き込まれたコード１０からコード化された情報をスキャンし、これらのコードをただちに、または後になってポータルサーバー２００にアップロードして処理すること、または参考資料とすることが可能である。このシステムは、印刷広告業者が人々の受けたできばえに対する印象を追跡し、スキャンを行なった人についての人口統計的情報を監視追跡装置２２０を通して収集することが可能である。監視追跡装置２２０は図１にポータルサーバー２００の一部として描かれているが、しかしながらこのシステムの構成要素１００、１８０、４００、３００、２００、または６００のいずれにあってもよい。さらに、監視追跡装置２２０は特別な出版物、出版物のタイプ、またはプロバイダ６００からの電子商取り引きの取り引き価値を追跡することおよび取り引きに基づく費用パーセンテージを算出することが可能である。例えば、ある実施態様では、スキャナー１００は広告がスキャンされた時間を追跡可能なクロックを有している。ある実施態様においてはスキャナー１００がＧＰＳであり、スキャンが行なわれた地理的位置を追跡することが可能となる。このシステムはまた、ユーザーの個人的プロフィール情報により可能となる拡張にしたがってバイオメトリックな情報を発信することも意図している。監視追跡したすべての情報を組み合わせたものには広告の読み取り−スキャン情報が含まれ、これはユーザーの個人的プロフィール情報による拡張に従ってポータルサーバー２００またはプロバイダ６００に送信されることも可能である。
【００３４】
本発明の受信装置１８０はスキャナー１００、およびポータルサーバー２００と配線、または赤外線、光通信、無線周波数、または衛星のようなワイアレス技術で結ばれている。この受信装置１８０はコンピュータ、携帯電話、ページャー、リモコン装置、パーソナルユースのデジタル補助装置、簡単なバッファなどに組み込まれるか本体でもよいし、または直接リンクを使用してもよい。受信装置１８０はまた、テレビジョン、セットトップボックス、ウェブＴＶ装置、ＶＣＲ、デジタル多目的ディスク（ＤＶＤ）プレーヤ、ＣＰＥ３００、または他の電子装置に組み込まれたものでもよい。受信装置１８０は、リンク送信およびユーザー入力情報を収集、分類および優先順位付けすることもできるが、これは必ずしも必要なことではない。受信装置１８０はこれらの送信を列に並べ、ただちに処理することが可能である。また、受信装置１８０は少なくとも一つのｃｏｏｋｉｅを有し、受信装置またはプロバイダに特異的な他の情報と共に受信時間情報を有することもある。
【００３５】
ある実施態様では、受信装置１８０はスキャンした生のコード１０を直接的にポータルサーバー２００に送るか、またはプロバイダ６００のような他のサイトにポータルサーバー２００を経由して送る。また別の実施態様では、受信装置１８０はスキャンしたコードを収集、保存、処理をし、ｃｏｏｋｉｅおよび時間、温度、および地域のような状態依存性の情報と共にネットワークに送る。
【００３６】
受信装置１８０は多機能化も可能であるし、無線周波数や赤外線のような入力を多くもたせることも可能である。受信装置１８０はまた、Ｘ−１０、ワイアレス、ワイアード、および電力ラインネットワークを取り込んで多数ユニットにリンクすること、または少なくとも一つのリピータを有し、より大規模な装備となることも可能である。また、少なくとも一つのローカルのコンピュータまたはＣＰＥ３００にリンクするワイアレス、ワイアーライン、電力ラインを取り込むことも可能である。
【００３７】
図２および図４に示した実施態様では、ＣＰＥ３００はキュープロセッサまたは前段プロセッサとして機能することが可能である。ユーザーがＣＰＥ３００を使用してユーザーの個人的プロフィール情報を含めた情報に入り込むことも可能である。また別の実施態様では、スキャンしたコード１０はユーザー優先に従ってＣＰＥ３００により処理される。実施例の方法では、ＣＰＥ３００は自動的にかつコード１０を受ける順序に対して直列的にコード１０を処理、または列に並べてユーザーの都合のよい時に処理できるように保存することが可能である。ｃｏｏｋｉｅは、ＣＰＥ３００、スキャナー１００、および受信装置１８０のいずれか一つまたは複数に保存されることもあり得る。ＣＰＥ３００は、スキャナー１００からのリンク情報も含め、スキャンしたコード１０を受け取り、ポータルサーバー２００にこのコード１０を送信する。ポータルサーバー２００はリンク情報を解析し、特定のウェブアドレス、インターネットサイトのようなネットワーク上のロケーション、またはプロバイダ６００のロケーションから受信装置１８０への径路をセットアップする。この径路に沿って、ロケーションがマルチメディア情報配列５００のような情報を受信装置１８０に送り、表示および再生が為される。
【００３８】
本発明のシステムは少なくとも一つのポータルサーバー２００を観察するものである。ポータルサーバー２００は単一サイトまたは多数サイトのものでもよい。ポータルサーバー２００はネットワークを通してスキャナー１００および受信装置１８０と結ばれており、印刷メディア５０から入るコード１０、コードタイプおよび情報を中心的な役割で処理、割り当て、および制御する。ポータルサーバー２００はリンク情報およびユーザー入力情報を受けること、リンク情報とユーザー入力情報に対応したマルチメディア情報配列５００を選択すること、およびネットワークを経由してマルチメディア情報配列５００を受信装置１８０に送ることが可能である。
【００３９】
このシステムの一つの利点は、ポータルサーバー２００のｃｏｏｋｉｅを含めたリンク情報データベースを利用すると、特定のロケーションにリンクするためにスキャンを必要とする情報量が最少にできることである。ポータルサーバー２００は書き込まれた情報を含んだコード１０を処理し、プロバイダ６００、広告業者、および情報プロバイダにより提供されるデータベース情報のような情報を参照する。コード１０をスキャンした中に含まれる情報は、ユーザー入力情報、ｃｏｏｋｉｅ、状態依存性情報、広告読み取りスキャン情報および他の発信情報のうち少なくとも一つと組み合わされ、ポータルサーバー２００がネットワーク上の少なくとも一つのロケーションとリンクされて情報のリクエストまたは電子商取り引きのような取り扱い処理が完遂される。
【００４０】
ある実施態様では、ポータルサーバー２００は、キーボード、電話、音声により機能するシステム、またはモデムのような通信装置を介して生のコード１０をポータルサーバー２００に供給するユーザーのリクエストを受信して処理するのに適合している。この実施態様では、スキャナー１００を使用しないで、ユーザーはマルチメディア情報の対話型通信を開始することが可能である。さらなる実施態様では、スキャナー１００は電話ダイヤルシステムを経由してこのポータルサーバーにアクセスすることが可能となる。例えば、スキャンをしたあとで、ユーザーが電話を使用してスキャナー１００をネットワークに接続させることが可能である。いったんデータが伝送されると、ユーザーはボイスメニューシステムを使用して音だけのマルチメディア情報、または取り引きにおける契約のような残りの取り扱いを制御することが可能である。また別の実施態様では、ポータルサーバー２００は印刷および電子取り引きのためのリンクのシングルコモンデータベースである。このリンクのデータベースは宣伝広告業者、印刷メディアのオーナー、および情報プロバイダ６００のようなシステムユーザーによってアクセスされるものである。
【００４１】
ポータルサーバー２００にある監視追跡装置２２０は、ユニバーサルリソースロケーター、インターネットアドレス情報、商標情報、オリジナル情報源、組織名、製品名、サービス名、利益償還情報、プロバイダ規定情報、ユーザーの個人的プロフィール情報、ユーザーの関心のある情報、サーバーコマンド情報、およびＣＰＥ優先情報のようなユーザーに対応したリンク情報を追跡することが可能である。
【００４２】
この監視追跡装置２２０はまた、ポータルサーバー２００を経由してネットワーク上に創出されるすべての宣伝広告およびすべての取り引きに付帯する費用を追跡することも可能である。費用は、例えば、選択したマルチメディア情報配列、特定の情報プロバイダに対応してポータルサーバーにより受信されたリンク情報の数と頻度、または選択したマルチメディア情報配列が取り引きを生み出すイベントにおける取り引き価値に基づいたものである。この費用追跡装置２２０はスキャンから創出された少なくとも一つの電子商取り引きに関わる費用を追跡することが可能である。
【００４３】
ポータルサーバー２００の内部にあるプロバイダ管理装置２３０および統計装置２４０は、ユーザーの個人的プロフィール情報に基づくスキャンとは関係なく創出されるプロバイダ６００からの広告情報および取り引きをメンテナンスする。このようにして、本発明は、広告業者がポータルサーバー２００のユーザーに対し、ユーザーの個人的プロフィール情報またはポータルサーバーの構成にしたがって情報を広めることを可能にする。プロバイダ管理装置２３０はプロバイダの印刷メディア５０の効率性を保持しているプロバイダにフィードバックをかけ、柔軟的にリアルタイムのメッセージ選択を可能とする。
【００４４】
ポータルサーバー２００にあるインジグラフィックス装置（図示せず）がユーザーの個人的プロフィール情報および関心のある情報に基づいてオークションに参加する情報のマーキングおよび発表のようなユーザー個人プロフィール情報の管理機能を果たす。
【００４５】
ポータルサーバー２００にある資金管理装置（図示せず）はシステムユーザー間の資金の取り扱いを管理し、容易にする。資金管理装置は監視追跡装置２２０のようなポータルサーバー２００内の他の装置から入る情報を処理する。好ましくは、資金管理装置はＥｃａｓｈのような電子的資金移送を利用して、監視追跡装置２２０から受けた情報にしたがって資金を受け取ることおよび配送することをする。
【００４６】
例えば、本発明によると、ある個人が地域の自動車ディーラーによって新聞に掲載された通常の白黒の自動車広告をスキャンしてコード１０を創出すると、その後わずかの時間をおいてこの個人は、所有するウェブＴＶまたはコンピュータ上にこの自動車広告に関して全てを網羅したマルチメディアのプレゼンテーションを受けるということを経験する。監視追跡装置２２０は販売のパーセンテージを基にして製造業者、ディーラー、およびこの自動車を購入する個人の間における費用配分を算出する。資金管理装置はこの個人からＥｃａｓｈを受け、取り引きに含まれるすべての当事者に費用を分配すること、または口座データベースに貸借表として情報を保存する。
【００４７】
また、本発明の別の実施例では、ある個人が食料品店に行き、通路の末端でプリンタがあるかまたは無いキオスクにおいて品物のＵＰＣコード１０をスキャンし、栄養情報または調理法をチェックすることが可能となる。言い換えると、この個人は家庭でＵＰＣ情報を得ることができ、それを受信装置１８０またはＣＰＥにアップロードし、製品、クーポンについての情報、またはその他の利益償還情報を得ることができる。店はオプションとしてネットへのリンクを提供することが可能であり、それによりユーザーはインターネット接続を経由して店から自分の家庭のコンピュータに情報をアップロードすることが可能となる。
【００４８】
本発明のまた別の実施例では、スキャナー１００を使用してネットワークのロケーションにスタッフドアニマルをリンクさせることも可能である。この実施例によると、スキャナー１００はスマートボタン（ＪＡＶＡ（登録商標）にあるようなもの）のような近接使用を基本とする装置、またはセキュリティーカードとアクセス装置を含む殆どすべての他の種類の装置であり得る。
【００４９】
また別の実施例では、ある個人が自分のデスクにある５年経過したコンピュータモニターをスキャンし、そのモニターのための地域のサービスセンターまたは図式、インストラクションマニュアルまたは保証マニュアルのようなモニターの技術情報を掲載したウェブページにただちに入ることが可能である。この処理は結果として、この個人がリベート、売買、またはリコールの申し出および安全情報を受けられることにもなる。本発明は、従来の製造業者と顧客との間にあった相互連絡の期間を超えた長期間にわたり、製造業者が顧客と接触を維持することを可能にせしめる。この接触は、製造業者が従来アクセスできなかった製品使用情報の収集を可能にせしめる。製造業者はまた、人々が彼らの製品をスキャンするように刺激するプログラムを利用することも可能となる。
【００５０】
本発明は、プロバイダ６００が電子的にコード１０を受信して広告の中に書き込むことを可能にする。それはまた、新聞社や雑誌社のような宣伝広告物の出版業者が彼ら自身の広告コードを印刷し、この情報をポータルサーバー２００と分け合うことも可能にすることとなる。本発明は、情報を含んだ広告の中のコードを使用した出版物および製品の独自性を意図している。このシステムは出版業者が、たとえ彼らが何ら製品を供給しなくとも、流通する取り引きの利益を分かち合うことを可能にせしめる。さらにこのシステムは、シンプルなマーケット業者およびカタログ提供業者が低い経済基盤で、ポータル操作型の電子商取り引き店舗または製造業者／ディストリビュータの電子商取り引き店舗を指すが、コード１０の情報により営業することも可能にする。
【００５１】
著作権化されたものの再版もまた、ポータルサーバー２００が著作者に提供するサービスとなり得る。著作者は彼らの本や品物にコード１０を書き込むことが可能である。ユーザーがコード１０をスキャンすると、適切な価格で“もの”全体または関連商品または本または情報のコピーを受け取ることができる。本発明は、高くつかない方法で低額の料金を徴収する手段を著作者に提供する。著作権サービスのポータルサーバーは、既存の電子商取り引きサービスまたは他のポータルサーバーを通してダウンロードされたページ当たり数ペニーまたはそのかけらくらいの料金でさえも著作者の口座にクレジットすることが可能である。アクセスすることおよび適度にダウンロードすることおよびＣＤおよびニュースレターのような高価な品物についても同じような形式で処理することができる。
【００５２】
さらに本発明は、医療用検査装置をこのシステムでセットアップすることも意図している。個人の医学的状態それから既存の医学的状態の情報を追跡可能な身体モニターが周期的またはパラメーターが指示したときか満足されたときにこの情報と通信可能となる。本発明のシステムは、ユーザーの入力、状態情報、およびｃｏｏｋｉｅ情報とワイアードおよびワイアレスの生データをポータルサーバー２００で結合させる能力がある。ポータルサーバー２００はユーザーの個人的プロフィール情報に基づき、この情報の方向付けおよび伝送をする。基本となる情報はスキャンされるかまたは基本情報を身体モニターが収集した情報に加える装置に書き込まれたコードである。ポータルサーバー２００におけるリンクはダイナミックに変えることが可能で、身体モニターに書き込まれたコードの新しいバージョンまたは新しいパラメータのセットをネットワークのあるロケーションからダウンロードすることが可能である。
【００５３】
また、本発明はこのシステムを使用して家庭用製品からのアラーム情報および機器の情報を収集することも意図している。このシステムには無線周波数および赤外線信号を受信することが可能な中枢受信装置を有する。ここでは生データ配列、ポインタ情報、および状態情報が家庭用製品から受信装置に発信され、この受信装置はポータルサーバーに情報を連絡する。ポータルサーバーはｃｏｏｋｉｅで情報を組み合わせ、ポインタ情報を使用して製造業者のウェブサイトに確実に送信することができる。
【００５４】
本発明のいくつかの動作モードを有しており、収集と保存、収集と実行、および収集と処理ののち実行といったモードが含まれる。ユーザーは、ユーザーの個人的プロフィール情報にしたがってモードをセットする。受信装置にセットするスキャナーのユーザーインターフェース、ＣＰＥ３００またはポータルサーバー２００にセットするソフトウェアもまたモードをセットするためにユーザーの個人的プロフィール情報と組み合わされる。
【００５５】
テレビジョンのリモコンのようなリモコン装置は改造してスキャンを行ない、セットトップボックスのような受信装置１８０にコード１０を送信することが可能である。ある実施態様では、コード１０はスキャンされ、受信装置１８０により読み出し可能な特定の標準コード配列とされたのちに書き込まれる。例えば、収集および保存をするモードでは、リモコン上で所定の配列でボタンを押すと、離れた場所でのスキャンモードが機能する。いったん動作を開始すると、リモコン装置はコード１０を、例えばマガジンの広告から収集して保存するために使用できる。それからユーザーはリモコンを離れた場所にあるセットトップボックスに向け、一つのキーまたは複数キー配列を押すことによりコード情報を送信する。
【００５６】
マルチメディア情報配列のような情報はネットワークに接続されたＣＰＥ３００、または他の何らかの受信装置１８０に送信することができる。受信装置１８０およびローカルのＣＰＥ３００は単一のユニットに組み込むことが可能である。受信装置１８０は音の出ない装置でもよいしスマート装置でもよい、また、はめ込み型でもスタンドアローン型でもよい。ＣＰＥはＰＣでもよいし、オンライン処理装置またはウェブＴＶにより置き換えることも可能である。本発明の受信装置１８０およびスキャナー１００は高機能ウェブＴＶの一部として組み込むことが可能である。
【００５７】
本発明は、この発明の精神および本質的な属性から逸脱することなしに他の特定の形式で実施されることが可能であり、したがって、発明の範囲の表示としては前述の明細書よりむしろ添付の特許請求の範囲が参照されるべきである。
【図面の簡単な説明】
【００５８】
【図１】図１は、スキャナーおよびポータルサーバーの両方に接続された受信装置により本発明の実施態様を描いた図である。
【図２】図２は、受信装置を使用せずにスキャナーを直接的にポータルサーバーに接続して本発明の実施態様を描いた図である。
【図３】図３は、スキャナーおよび宅内機器を一つの装置に一体化して本発明の実施態様を描いた図である。
【図４】図４は、ＣＰＥが受信装置およびスキャナーから分離された形で本発明の実施態様を描いた図である。
【図１】
2007226778.tif 000003
【図２】
2007226778.tif 000004
【図３】
2007226778.tif 000005
【図４】
2007226778.tif 000006
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
ポータルサーバー上のリンク提供者に関連するコンテンツ情報を含む印刷媒体によって通信が開始される、ネットワークを介したテキスト情報通信のためのシステムであって、
ネットワークと、
前記印刷媒体によって搬送されるデータを受信する第１受信装置であって、前記データは前記コンテンツ情報に関連するリンク情報を含み、メモリと、ユーザー入力情報を受信するユーザーインタフェースであって、前記ユーザー入力情報は前記メモリに記憶することができるユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記テキスト情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記テキスト情報を選択し、前記ネットワークを介して前記テキスト情報を前記第２受信装置に送信することができるシステム。
【請求項２】
前記第１受信装置及び前記第２受信装置を１つの装置に統合した請求項１に記載のシステム。
【請求項３】
前記ユーザーインタフェースは、音声起動システム、キーパッド又はキーボードのうち少なくとも１つを備える請求項１に記載のシステム。
【請求項４】
前記第１受信装置が近接ベースの装置を備える請求項１に記載のシステム。
【請求項５】
ポータルサーバー上のリンク提供者に関連するコンテンツ情報を含む印刷媒体によって通信が開始される、ネットワークを介したオーディオ情報通信のためのシステムであって、
ネットワークと、
前記印刷媒体によって搬送されるデータを受信する第１受信装置であって、前記データは前記コンテンツ情報に関連するリンク情報を含み、メモリと、ユーザー入力情報を受信するユーザーインタフェースであって、前記ユーザー入力情報は前記メモリに記憶することができるユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記オーディオ情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記オーディオ情報を選択し、前記ネットワークを介して前記オーディオ情報を前記第２受信装置に送信することができるシステム。
【請求項６】
前記第１受信装置及び前記第２受信装置を１つの装置に統合した請求項５に記載のシステム。
【請求項７】
前記ユーザーインタフェースは、音声起動システム、キーパッド又はキーボードのうち少なくとも１つを備える請求項５に記載のシステム。
【請求項８】
前記第１受信装置が近接ベースの装置を備える請求項５に記載のシステム。
【請求項９】
ポータルサーバー上のリンク提供者に関連するコンテンツ情報を含む印刷媒体によって通信が開始される、ネットワークを介したビデオ情報通信のためのシステムであって、
ネットワークと、
前記印刷媒体によって搬送されるデータを受信する第１受信装置であって、前記データは前記コンテンツ情報に関連するリンク情報を含み、メモリと、ユーザー入力情報を受信するユーザーインタフェースであって、前記ユーザー入力情報は前記メモリに記憶することができるユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記ビデオ情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記ビデオ情報を選択し、前記ネットワークを介して前記ビデオ情報を前記第２受信装置に送信することができるシステム。
【請求項１０】
前記第１受信装置及び前記第２受信装置を１つの装置に統合した請求項９に記載のシステム。
【請求項１１】
前記ユーザーインタフェースは、音声起動システム、キーパッド又はキーボードのうち少なくとも１つを備える請求項９に記載のシステム。
【請求項１２】
前記第１受信装置が近接ベースの装置を備える請求項９に記載のシステム。
【請求項１３】
ポータルサーバー上のリンク提供者に関連するコンテンツ情報を含む印刷媒体によって通信が開始される、ネットワークを介したテキスト情報通信のためのシステムであって、
ネットワークと、
前記印刷媒体によって搬送されるデータを受信する第１受信装置であって、前記データは前記コンテンツ情報に関連するリンク情報を含み、ユーザー入力情報を受信するユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記テキスト情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記テキスト情報を選択し、前記ネットワークを介して前記テキスト情報を前記第２受信装置に送信することができるシステム。
【請求項１４】
前記第１受信装置が電話システムを含む請求項１３に記載のシステム。
【請求項１５】
前記ポータルサーバーが、音声認識システムを含む請求項１３に記載のシステム。
【請求項１６】
ポータルサーバー上のリンク提供者に関連するコンテンツ情報を含む印刷媒体によって通信が開始される、ネットワークを介したオーディオ情報通信のためのシステムであって、
ネットワークと、
前記印刷媒体によって搬送されるデータを受信する第１受信装置であって、前記データは前記コンテンツ情報に関連するリンク情報を含み、ユーザー入力情報を受信するユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記オーディオ情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記オーディオ情報を選択し、前記ネットワークを介して前記オーディオ情報を前記第２受信装置に送信することができるシステム。
【請求項１７】
前記第１受信装置が電話システムを含む請求項１６に記載のシステム。
【請求項１８】
前記ポータルサーバーが、音声認識システムを含む請求項１６に記載のシステム。
【請求項１９】
ポータルサーバー上のリンク提供者に関連するコンテンツ情報を含む印刷媒体によって通信が開始される、ネットワークを介したビデオ情報通信のためのシステムであって、
ネットワークと、
前記印刷媒体によって搬送されるデータを受信する第１受信装置であって、前記データは前記コンテンツ情報に関連するリンク情報を含み、ユーザー入力情報を受信するユーザーインタフェースと、前記ネットワークと通信する通信ブリッジとを備える第１受信装置と、
前記第１受信装置と通信する第２受信装置であって、前記リンク情報及び前記ユーザー入力情報を前記ネットワークを介して受信及び通信することができ、かつ前記ビデオ情報を受信及び搬送できる第２受信装置とを備え、
前記ポータルサーバーは前記第１受信装置及び前記第２受信装置と前記ネットワークを介して通信し、前記リンク情報及び前記ユーザー入力情報を受信し、前記リンク情報及び前記ユーザー入力情報に対応する前記ビデオ情報を選択し、前記ネットワークを介して前記ビデオ情報を前記第２受信装置に送信することができるシステム。
【請求項２０】
前記第１受信装置が電話システムを含む請求項１９に記載のシステム。
【請求項２１】
前記ポータルサーバーが、音声認識システムを含む請求項１９に記載のシステム。